(57)【要約】（要約）（課題）  生体内において、成長・栄養因子を産生・増産することで、幼若個体の成長を速め、各種臓器の生存能を高め、或いは、脳機能を修復或いは高めることができる交流高電位を用いた生体内神経栄養因子産生方法及び産生装置を提供すること。生体において成長・栄養因子を産生・増産させることは、心筋梗塞や脳梗塞等の虚血疾患による臓器傷害を発生させ難くし、また、正常或いは、様々な疾患或いは外傷により低下した脳機能を回復・向上させる手段となる。（解決手段）  入力電源から極低電流の交流一定或いは変動高電圧を生成する高電圧生成手段と、該高電圧生成手段によって生成された高電圧を生体に印加するための通電手段と、からなり、前記高電圧生成手段によって生成された交流一定或いは変動高電圧を前記通電手段によって生体に印加して、生体内における成長・栄養因子を生産・増産させることを特徴とする生体内神経栄養因子産生装置とする。（選択図）  図１【特許請求の範囲】
【請求項１】
交流の一定或いは変動高電圧を生体に印加して、生体内における成長・栄養因子を産生・増産させることを特徴とする生体内神経栄養因子産生方法。
【請求項２】
入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、生体内における成長・栄養因子を産生・増産させることを特徴とする生体内神経栄養因子産生装置。
【請求項３】
前記高電圧生成手段により生成される交流高電圧が、１０００〜３００００Ｖであることを特徴とする請求の範囲第２項に記載の生体内神経栄養因子産生装置。
【請求項４】
前記高電圧生成手段により生成される交流高電圧が、一定又は５００〜５００００Ｖの幅で変動することを特徴とする請求の範囲第２項に記載の生体内神経栄養因子産生装置。
【請求項５】
交流の一定或いは変動高電圧を生体に印加して、記憶力などの脳神経機能を向上させることを特徴とする脳神経機能向上方法。
【請求項６】
入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、記憶力などの脳神経機能を向上させることを特徴とする脳神経機能向上装置。
【請求項７】
前記高電圧生成手段により生成される交流高電圧が、１０００〜３００００Ｖであることを特徴とする請求の範囲第６項に記載の脳神経機能向上装置。
【請求項８】
前記高電圧生成手段により生成される交流高電圧が、一定又は５００〜５００００Ｖの幅で変動することを特徴とする請求の範囲第６項に記載の脳神経機能向上装置。
【請求項９】
交流の一定或いは変動高電圧を生体に印加して、生体内における成長・栄養因子を産生・増産させることを特徴とする虚血障害予防方法。
【請求項１０】
入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、生体内における成長・栄養因子を産生・増産させることを特徴とする虚血障害予防装置。
【請求項１１】
前記高電圧生成手段により生成される交流高電圧が、１０００〜３００００Ｖであることを特徴とする請求の範囲第１０項に記載の虚血障害予防装置。
【請求項１２】
前記高電圧生成手段により生成される交流高電圧が、一定又は５００〜５００００Ｖの幅で変動することを特徴とする請求の範囲第１０項に記載の虚血障害予防装置。
【発明の詳細な説明】
【技術分野】
【０００１】
本発明は交流高電位を用いた生体内神経栄養因子産生方法及び生体内神経栄養因子産生装置に関する。より詳しくは、生体を交流高電界に置くことで、生体に電位刺激を与えて生体内の神経栄養因子を増加させる技術に関する。
本発明の目的は、生体内において、神経栄養因子を増加させることにある。その結果、中枢神経・末梢神経細胞の生存能が高まることで脳梗塞等の脳虚血性疾患、神経変性疾患や脳脊髄損傷による神経傷害から守られる。また、神経細胞神経突起の成長が促されることで、神経の可塑性が高まり、記憶力等の脳神経機能が向上する。或いは、すでに存在する脳神経機能の低下を改善させることができる。すなわち、これらの有益な効果を有する交流高電位を用いた生体内神経栄養因子産生方法及び生体内神経栄養因子産生装置を提供することにある。
【背景技術】
【０００２】
交流一定高圧電位（高電位）の負荷によるいわゆる電界（電位）治療とは、交流一定高電界を発生させ、その電界中に治療を受ける者の身体を置く（接する）ことで、その間、生体内電位を変化させ、頭痛、肩こり、不眠症、慢性便秘症などに対する治療効果を期待する治療法である。電界治療に用いられる電界治療装置としては、例えば、特許文献１〜４に記載されるようなものが知られている。
また、電界治療は、ラットに対して慢性腎不全に伴う高血圧症の進行を抑制する可能性のあることが指摘されている（非特許文献１参照）。【０００３】
神経変性疾患には、様々な薬物治療に対して抵抗性を示し、根本的な治療法のないことが多く、アルツハイマー病、パーキンソン病、ハンチントン病、脊髄小脳変性症、筋萎縮性側索硬化症などがある。また、脳脊髄損傷とは外傷や変性疾患等を原因とする神経への直接的損傷或いは、神経伝達経路に対する傷害のために様々な神経機能低下症状を示す病態である。これらの神経機能低下症状に対しては、神経細胞自体の生存能を高め、また、神経突起の成長を促すことで失われた神経回路網を回復させる神経栄養因子の増強効果が有効である可能性がある。
虚血とは、何らかの理由によって血液の供給が減少した状態や血液の供給が途絶えた状態のことをいい、血流が遮断されていた時間或いは範囲によって様々な傷害が現れる。虚血疾患としては、心筋への血液の供給が減ることにより発症する狭心症や心筋梗塞、脳の血管が何らかの理由によって閉塞することにより発症する脳梗塞などがある。
心筋梗塞或いは脳梗塞といった虚血疾患から、心臓や脳などの臓器を守るための有効な手段としては、リスクファクターとして存在する高血圧、糖尿病、高脂血症、肥満、心臓病等の治療或いは改善が重要である。しかしながら、生活習慣の改善やリスクファクターに対する内科的治療以外に虚血疾患から効果的に生体を守る手段は存在しない。現在も尚、多くの症例において虚血疾患による脳傷害や心臓傷害が生じ、多くの患者が後遺症に苦しみ、或いは死亡している。
一方、神経栄養因子とは、成長・栄養因子の一種であり、個体の成長発達段階においては神経細胞の成熟や神経突起の伸展を促し、中枢神経間或いは中枢神経と末梢神経間のシナプス形成或いは脳神経・末梢神経と各種神経支配臓器との神経ネットワークの構築に寄与する生体内分子である。神経細胞の発生・分化の過程において神経栄養因子が存在しないと、その神経細胞はアポトーシスを起こし死滅することから、神経発達段階における神経栄養因子の存在は神経細胞の生存維持にとって重要である。また、成長発達終了後にこの因子が増加すると、神経細胞の生存能が高まり、様々なストレスや疾患より神経細胞を守る作用を有することが知られている。【０００４】
この神経栄養因子のような神経細胞の成長を刺激することができる薬剤を脳に供給することによって、神経変性疾患の治療や損傷を受けた脳細胞の修復が可能ではないかと考えられており、例えば、特許文献５には、１，５−ジ（ピリジン−４−イル）−ペンタ−１，４−ジエン−３−オンと神経栄養因子とを含有する薬剤組成物が記載されている。【０００５】
脳を有害な物質から守るために、脳や脊髄の血管は物質が自由に通行できず、さらに選択的に取り込んだ物質しか脳内に入らないような血液脳関門とよばれる仕組みが備わっている。従って、生体内に投与された特許文献１に記載されるような薬剤組成物は、血液脳関門を通過しなければ脳内に到達することはできず、神経細胞の成長作用を示すことはできなかった。【０００６】
脳内に存在する神経栄養因子の一つとして脳由来神経栄養因子（BDNF）がある。この因子は内在性神経幹細胞の神経細胞への分化や未熟或いは成熟神経細胞の神経突起の成長を促し、シナプスの可塑性に寄与すると考えられる。また、この因子が増加することで未熟或いは成熟神経細胞の生存能が高まることが知られている。この因子が脳内で異常に低下すると、幼若神経細胞においては、神経細胞への分化の障害、成熟神経細胞では、神経細胞の退縮や神経突起ならびにシナプスの減少、及びそれらによる神経機能の低下等が生じ、記憶力の減退やうつ病の原因にもなる。【０００７】
【特許文献１】特開昭５８−１４６３６１号公報
【特許文献２】特開平７−２８４５３５号公報
【特許文献３】特開２０００−４２１２３号公報
【特許文献４】特開２００３−１２６２７０号公報
【特許文献５】特表２００１−５０４４７０号公報
【非特許文献１】三浦直樹  他７名、「交流高圧電位負荷の高血圧症モデル動物（Dahl-Sラット）に対する高血圧抑制効果」、日本獣医師会雑誌、５４、ｐ４７２〜４７５、２００１年
【発明の開示】
【発明が解決しようとする課題】
【０００８】
生体内で、安全に神経栄養因子を増やすことが可能となれば、中枢或いは末梢神経細胞が本来有している生存能が高まり、虚血性疾患や物理的傷害等の神経傷害を来す可能性のある様々なストレスから神経を守ることができる。さらに、神経突起の伸展促進効果に関連して、すでに失われた神経機能の修復や記憶力等の脳或いは神経機能を向上させることが可能となる。
すなわち、健康人や虚血性疾患に関するリスクファクターを有する患者、すでに虚血性疾患や外傷に罹患し神経機能障害のある患者、これら疾患において再発の可能性のある患者、様々な原因により中枢或いは末梢神経系に機能障害を有する患者、さらには記憶力等の脳機能が低下した痴呆症患者等に日常的に使用することができ、神経細胞の生存能を高め、神経機能を向上させることのできる生体内神経栄養因子産生・増産法の開発が望まれていた。
本発明者は、確実にしかも安全に、生体内において神経栄養因子を増加させる方法について鋭意研究を行ったところ、脳を含む全身性電位変化を生じさせる交流高電位負荷が、生体内神経栄養因子増加作用を有することを見出し、本発明の完成に至った。
【課題を解決するための手段】
【０００９】
請求項１に係る発明は、交流の一定或いは変動高電圧を生体に印加して、生体内における成長・栄養因子を産生・増産させることを特徴とする生体内神経栄養因子産生方法に関する。
請求項２に係る発明は、入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、生体内における成長・栄養因子を産生・増産させることを特徴とする生体内神経栄養因子産生装置に関する。
請求項３に係る発明は、前記高電圧生成手段により生成される交流高電圧が、１０００〜３００００Ｖであることを特徴とする請求の範囲第２項に記載の生体内神経栄養因子産生装置に関する。
請求項４に係る発明は、前記高電圧生成手段により生成される交流高電圧が、一定又は５００〜５００００Ｖの幅で変動することを特徴とする請求の範囲第２項に記載の生体内神経栄養因子産生装置に関する。【００１０】
請求項５に係る発明は、交流の一定或いは変動高電圧を生体に印加して、記憶力などの脳神経機能を向上させることを特徴とする脳神経機能向上方法に関する。
請求項６に係る発明は、入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、記憶力などの脳神経機能を向上させることを特徴とする脳神経機能向上装置に関する。
請求項７に係る発明は、前記高電圧生成手段により生成される交流高電圧が、１０００〜３００００Ｖであることを特徴とする請求の範囲第６項に記載の脳神経機能向上装置に関する。
請求項８に係る発明は、前記高電圧生成手段により生成される交流高電圧が、一定又は５００〜５００００Ｖの幅で変動することを特徴とする請求の範囲第６項に記載の脳神経機能向上装置に関する。【００１１】
請求項９に係る発明は、交流の一定或いは変動高電圧を生体に印加して、生体内における成長・栄養因子を産生・増産させることを特徴とする虚血障害予防方法に関する。
請求項１０に係る発明は、入力電源から極低電流の交流の一定或いは変動高電圧を生成する高電圧生成手段と、該高電圧生成手段によって生成された高電圧を生体に印加するための通電手段と、からなり、前記高電圧生成手段によって生成された交流の一定或いは変動高電圧を前記通電手段によって生体に印加して、生体内における成長・栄養因子を産生・増産させることを特徴とする虚血障害予防装置に関する。
請求項１１に係る発明は、前記高電圧生成手段により生成される交流高電圧が、１０００〜３００００Ｖであることを特徴とする請求の範囲第１０項に記載の虚血障害予防装置に関する。
請求項１２に係る発明は、前記高電圧生成手段により生成される交流高電圧が、一定又は５００〜５００００Ｖの幅で変動することを特徴とする請求の範囲第１０項に記載の虚血障害予防装置に関する。
【発明の効果】
【００１２】
本発明に係る生体内神経栄養因子産生方法及び生体内神経栄養因子産生装置によれば、生体に、交流一定高圧電位（交流一定高電界）或いは、交流変動高圧電位（交流変動高電界）を加えることによって、生体内の神経栄養因子の産生を促すことができる。これにより、健常或いは機能低下に陥った神経系の様々な病気や外傷に対する抵抗力を増強或いは回復させることができる。さらには、正常或いは機能低下に陥った記憶力等の脳機能神経機能を向上させることができる。
本発明に係る生体内神経栄養因子産生方法及び生体内神経栄養因子産生装置は老若男女、動植物に対して適用することができる。【００１３】
本発明に係る脳神経機能向上方法及び脳神経機能向上装置によれば、生体に、交流一定高圧電位（交流一定高電界）或いは交流変動高圧電位（交流変動高電界）を加えることによって、生体内の神経栄養因子の産生を促すことができる。これにより、記憶力などの脳神経機能を向上させることができる。
本発明に係る脳神経機能向上方法及び脳神経機能向上装置は老若男女、動植物に対して適用することができる。【００１４】
本発明に係る虚血障害予防方法及び虚血障害予防装置によれば、生体に、交流一定高圧電位（交流一定高電界）或いは交流変動高圧電位（交流変動高電界）を加えることによって、生体内の神経栄養因子の産生を促すことができる。これにより、中枢神経・末梢神経細胞の生存能が高まり、脳梗塞等の脳虚血性疾患、神経変性疾患や脳脊髄損傷による神経傷害を予防することができる。
本発明に係る虚血障害予防装置は老若男女、動植物に対して適用することができる。
【発明を実施するための最良の形態】
【００１５】
以下、本発明に係る生体内神経栄養因子産生方法及び生体内神経栄養因子産生装置について詳細に説明する。
本発明に係る生体内神経栄養因子産生方法は、交流一定高圧電界（交流一定高電位）或いは、交流変動高圧電界（交流変動高電位）内に生体を置くことで、生体内神経栄養因子の産生を促す作用を有することを特徴とする。【００１６】
生体内局所の直流電位をある一定以上に変化させると、細胞脱分極が生じる。脳では、その局所に生じた脱分極を焦点としてその周辺に２〜５ｍｍ／分程度の固有の速さを有する一過性可逆性脱分極性の波が細胞間を伝わることで波紋のように片側脳全体を伝播する現象が生じることが知られている。この現象は、伝播性抑制或いは、拡延性抑制（spreading depression）と呼ばれる。この現象は、成熟脳の正常な状態では出現せず、てんかん発作や脳梗塞、或いは、温度刺激や脳を傷つける程度の物理的刺激が加えられたときに生じることが知られる。拡延性抑制は、いつくかの特徴的な病的状態に随伴して出現するが、拡延性抑制そのものは正常脳にとって無害なものである。【００１７】
この可逆的一過性の細胞脱分極現象である拡延性抑制が脳において、神経栄養因子の一種である脳由来神経栄養因子を増加させることは知られている。この脳由来神経栄養因子の増加は、虚血性ストレスに対する抵抗性（虚血耐性、脳梗塞耐性）を誘導する。すなわち、拡延性抑制による電位刺激は脳内神経栄養因子を増加させ、脳の生存能を高める作用を有することが知られている。
しかしながら、本発明者は、従来、知られている拡延性抑制を惹起する作用のある既知の刺激、すなわち、脳へのてんかん誘発刺激、脳虚血刺激、或いは、脱分極作用のある化学物質を脳に接触させるという化学的刺激等を用いずとも、一定或いは変動交流高電位負荷が生体内の神経栄養因子を増加させることを見出した。【００１８】
生体に与えられる交流一定或いは変動高圧電位負荷の負荷電位（電界）レベル、および、変動電位幅（電界変動幅）は特に限定されず、交流一定高電位であれば、例えば、１０００〜１０００００Ｖ、好ましくは３０００〜２００００Ｖを例示することができる。与えられる電位レベルは、生体への負荷期間中、一定であってもよいが、規則的或いは、不規則に変動してもよい。交流変動電位の場合、その電位レベル変動周期と電位レベル変動幅は特に限定されず、変動周期であれば、1分間に１回から２０回、変動幅であれば、５００Ｖから５００００Ｖを例示することができる。また、用いられる交流周波数も特に限定されず、５０〜６０ヘルツを例示することができる。【００１９】
生体内の神経栄養因子を増加させるためには、一定期間継続的に交流一定或いは変動高電位（以下、単に高電位という場合がある）負荷を加えることが望ましい。高電位負荷を加える期間は特に限定されないが、一日当り一回〜数回の高電位負荷を一日当り合計で５分〜８時間与え、これを、少なくとも１週間から２ヶ月は、継続して行うことが必要であり、好ましくは毎日或いは、隔日に、一定時間継続的に、高電位負荷を加えることが望ましい。【００２０】
高電位負荷を与える身体の部分は特に限定されない。通常、身体の一部が高電界に接することで、全身性負荷が瞬時に加わる。【００２１】
次に、本発明に係る生体内神経栄養因子産生装置について、図面を参照しつつ説明する。
図１は、本発明に係る生体内神経栄養因子産生装置（以下、単に産生装置という場合がある。）の概略を示すブロック図である。【００２２】
本発明に係る産生装置（１）は、電位生成手段（１１）と、通電手段（１７）とを用いる。産生装置（１）には、電源部（１６）からの電源の供給によって、極低電流の交流一定或いは、変動高電圧を生成することができる高電圧発生回路（１４）が備えられている。通電手段（１７）は、高電圧発生回路（１４）によって生成された極低電流の交流一定或いは、変動高電圧を生体に印加するために設けられている。【００２３】
電源部（１６）は、産生装置（１）に所要の電力を供給するために設けられており、例えば、アルカリイオン電池、リチウムイオン電池、１００Ｖ交流電源、２００Ｖ交流電源、バッテリーなどが用いられる。
尚、電源部（１６）として直流電源を使用する場合、産生装置（１）には、直流電源を交流電源に変換する変換部（図示せず。）が設けられる。【００２４】
産生装置（１）には、高電圧発生回路（１４）が設けられており、交流高電圧を生成することができる。
高電圧発生回路（１４）としては、従来の電位治療器に用いられている交流一定高電圧発生回路、或いは、交流変動高圧発生回路、具体的には、１０００〜１０００００Ｖ程度の交流一定高電圧を生成することができるもの、或いは、その高電圧を５００〜５００００Ｖ幅で規則的或いは不規則に変動させることができる変動機能が付属したものであれば特に限定されることなく使用することができる。
例えば、トランスを用いて高電圧を生成することができる高電圧発生回路を例示することができる。【００２５】
電位生成手段（１１）には、制御部（１２）と、操作部（１５）とが設けられている。
制御部（１２）は、ＣＰＵなどから構成されており、操作部（１５）からの入力情報や予め備えられているプログラムに従って、電源部（１６）からの電力の供給を制御するＯＮ／ＯＦＦ切替部（１３）や、高電圧発生回路（１４）などを制御して産生手段（１）が正常に機能するように各部を制御する。【００２６】
操作部（１５）には、各種スイッチなどが設けられており、産生装置（１）の各種操作を行うことができる。
例えば、操作部（１５）には、電源スイッチ、治療時間を選択する治療時間選択スイッチ、電位や変動幅を選択する選択スイッチなどが設けられている。
治療時間選択スイッチは、治療時間を選択するものであり、例えば、設定した治療時間が経過したら、制御部（１２）の働きによって、ＯＮ／ＯＦＦ切替部（１３）を制御して電源をＯＦＦにする。
選択スイッチは、通電手段（１７）に印加される電位を任意の値、例えば、１０００Ｖ、３０００Ｖ、５０００Ｖ、１００００Ｖでの一定電位、或いは、規則或いは不規則的変動電位を設定することができる。【００２７】
通電手段（１７）は、高電圧発生回路（１４）によって発生した高電圧を生体に印加するために設けられる。生体に高電圧を印加する際、通電手段（１７）は大地と絶縁された状態とされる。
通電手段（１７）としては、高電圧発生回路（１４）によって発生した高電圧を生体に印加することができる電極を例示することができる。【００２８】
本発明に係る産生装置（１）は、ヒトのほか、あらゆる動植物に適用することができ、特にウシ、ブタ、ヒツジ、ウマ、羊、サルなどの哺乳動物に好適に適用することができる。【００２９】
次に、本発明に係る産生装置（１）の使用方法について、図面を参照しつつ説明する。図２及び３は、本発明に係る生体内神経栄養因子産生法の使用状態を示す図である。
本発明に係る産生装置（１）を使用するには、生体（動植物或いは、使用者）は、大地と絶縁された通電手段（１７）と接触して、一定或いは、変動高圧電界内に位置するようにすることでそれらの高圧電界の作用で生体内における神経栄養因子を産生・増産させることができる。【００３０】
産生装置（１）を使用する際の使用者（Ｍ）の姿勢としては、例えば、図２に示すような横臥した姿勢や、図３に示すような椅子に座った姿勢を例示することができる。
図２に示すような使用者（Ｍ）が横臥する場合は、まず、床（Ｙ）の上に通電手段（１７）を大地と絶縁するための絶縁マット（２０）を敷き、その上に通電手段（１７）を敷く。使用者（Ｍ）は通電手段（１７）と接するように横臥する。電位生成手段（１１）は通電手段（１７）と接続されており、操作部により予防装置を作動させることによって、使用者（Ｍ）を一定高圧或いは変動高圧電界内に置くことができる。【００３１】
図３に示すような使用者（Ｍ）が椅子に座った姿勢で産生装置（１）を使用するには、通電手段（１７）を大地と絶縁するための絶縁マット（２０）を敷き、その上に椅子（Ｃ）を配置する。通電手段（１７）は、使用者（Ｍ）と接触する位置に配置すればよく、例えば図３に示すような椅子の座面に配置すればよい。この他、椅子の背もたれなどに配置しても構わない。
通電手段（１７）は産生装置（１）と接続されており、電位生成手段を作動させることによって、使用者（Ｍ）を高圧電界内に置くことができる。【００３２】
本発明に係る産生方法は、生体内の神経栄養因子を増加させることができる。従って、本発明に係る産生方法は、生体内の神経栄養因子を増加させ、その結果、中枢神経・末梢神経細胞の生存能を高めることができるので、脳梗塞等の脳虚血性疾患、神経変性疾患や脳脊髄損傷による神経傷害などに対する予防方法として利用することができる。つまり、本発明に係る虚血障害予防方法は、上述した生体内神経栄養因子産生方法と同様に構成することができる。
また本発明に係る増産方法は、生体内の神経栄養因子を増加させ、その結果、神経細胞神経突起の成長が促されるので、神経の可塑性が高まり、記憶力等の脳神経機能を向上する脳神経機能向上方法として利用することができる。つまり、本発明に係る脳神経機能向上方法は、上述した生体内神経栄養因子産生方法と同様に構成することができる。
さらに本発明に係る増産方法は、生体内の神経栄養因子を増加させ、その結果、新生神経の成長を促進することができるので、新生神経成長促進方法として利用することができる。つまり、新生神経成長促進方法は、上述した生体内神経栄養因子産生方法と同様に構成することができる。【００３３】
本発明に係る産生装置は、生体内の神経栄養因子を増加させることができる。従って、本発明に係る産生装置は、生体内の神経栄養因子を増加させ、その結果、中枢神経・末梢神経細胞の生存能を高めることができるので、脳梗塞等の脳虚血性疾患、神経変性疾患や脳脊髄損傷による神経傷害などに対する予防装置として利用することができる。つまり、本発明に係る虚血障害予防装置は、上述した生体内神経栄養因子産生装置と同様に構成することができる。
また本発明に係る産生装置は、生体内の神経栄養因子を増加させ、その結果、神経細胞神経突起の成長が促されるので、神経の可塑性が高まり、記憶力等の脳神経機能を向上する脳神経機能向上装置として利用することができる。つまり、本発明に係る脳神経機能向上装置は、上述した生体内神経栄養因子産生装置と同様に構成することができる。
さらに本発明に係る産生装置は、生体内の神経栄養因子を増加させ、その結果、新生神経の成長を促進することができるので、新生神経成長促進装置として利用することができる。つまり、新生神経成長促進装置は、上述した生体内神経栄養因子産生装置と同様に構成することができる。
【実施例】
【００３４】
以下、本発明を実施例に基づき説明するが、本発明はこれらの実施例に何ら限定されるものではない。【００３５】
［実施例１］
８〜９週齢のＣ５７ＢＬ／６Ｊ系雄性マウスに、本発明に係る生体内神経栄養因子産生装置により様々な交流一定或いは変動高電位負荷を１日１回５時間、１〜３週間にわたり、連日負荷した。全身麻酔下にて脳を取り出し、神経栄養因子の一種である脳由来神経栄養因子の脳内含有量を測定した。結果を図４に示す。
図４に示す結果のとおり、交流一定或いは変動高電位負荷を行った群では、行わなかった無処置群に比し、脳内での脳由来神経栄養因子含有量が有意に増加していた。【００３６】
［実施例２］
実施例１に示される条件で交流一定或いは変動高電位負荷を負荷したマウスに、局所脳虚血負荷を加え、その後に生じる脳梗塞体積を測定した。結果を図５に示す。
図５に示す結果のとおり、高電位負荷を行った群では無処置群に比べて、脳梗塞が有意に縮小していた。【００３７】
［実施例３］
実施例１に示される条件で交流一定或いは変動高電位負荷を負荷したマウスに、に対して、水迷路試験を用いて空間認知・記憶力の評価を行った。即ち、マウスを水槽内に放ち、水槽内の足場を探し出すのに必要な時間を計測した。実験は連日５日間行った。結果を図６に示す。
図６に示す結果のとおり、高電位負荷を行った群では無処置群に比し、記憶力の有意な増強が確認された。
【産業上の利用可能性】
【００３８】
本発明に係る生体内神経栄養因子産生方法及び産生装置は、生体内において神経栄養因子を産生・増産させ、それが神経突起に働きかけることで神経機能を増強或いは回復させることができる。また、神経細胞の生存能を高めることで、脳梗塞等の虚血性傷害或いは、その他の脳神経・末梢神経傷害・損傷を発生させ難くし、或いは、すでに生じた神経障害・神経損傷を修復し、さらには、記憶力等の脳機能を向上させることができる。したがって、これらの作用を有する生体内神経栄養因子産生法は、ヒトをはじめとする様々な動物に使用することができる。
一方、幼若な生体においては、この生体内神経栄養因子産生法を用いることで、生体内成長因子を産生・増産させることが可能であり、様々な動植物の成長を速めたい場合に使用することができる。
【図面の簡単な説明】
【００３９】
【図１】本発明に係る生体内神経栄養因子産生装置の概略を示すブロック図である。
【図２】本発明に係る生体内神経栄養因子産生装置の使用状態を示す図である。
【図３】本発明に係る生体内神経栄養因子産生装置の使用状態を示す図である。
【図４】実施例１の結果を示すグラフである。
【図５】実施例２の結果を示すグラフである。
【図６】実施例３の結果を示すグラフである。
【符号の説明】
【００４０】
１        生体内神経栄養因子産生装置
１１      電位生成手段
１２      制御部
１３      ＯＮ／ＯＦＦ切替部
１４      高電圧発生回路
１５      操作部
１６      電源部
１７      通電手段
２０      絶縁マット
Ｃ        椅子
Ｍ        使用者
Ｙ        床
【図１】
2006035622.tif 000002
【図２】
2006035622.tif 000003
【図３】
2006035622.tif 000004
【図４】
2006035622.tif 000005
【図５】
2006035622.tif 000006
【図６】
2006035622.tif 000007
【国際調査報告】
2006035622.tif 000008
2006035622.tif 000009
2006035622.tif 000010
2006035622.tif 000011
2006035622.tif 000012
2006035622.tif 000013
2006035622.tif 000014